(57)【要約】【課題】導光板の位置決め凸部の強度を維持しながら、位置決め凸部から光が漏れることを防止すること。【解決手段】バックライト装置２４は、導光板２と、導光板２０の入光面２０ａと対向して配されたＬＥＤ２８と、底板２２ａと、側板２２ｂ、２２ｃ、２２ｄと、を有するシャーシ２２と、導光板２０の端面から側板２２ｄ側に向かって突出しており、その頂角２０ｔが側板２２ｄと対向するように導光板２０の厚み方向に沿って延びる三角柱状をなす位置決め凸部２０ｓであって、平面視において、頂角が９０°とされるとともに、２つの立ち上がり角がそれぞれ４５°とされている位置決め凸部２０ｓと、側板の位置決め凸部２０ｓと対向する部位に設けられ、位置決め凸部２０ｓと嵌合可能とされるとともに、位置決め凸部２０ｓと嵌合されることでシャーシ２２内において導光板２０を位置決めする位置決め凹部２２ｓと、を備える。【選択図】図３
2013178907.tif 000002
【特許請求の範囲】
【請求項１】
少なくとも一つの端面に入光面が設けられた導光板と、
前記導光板の前記入光面と対向して配された光源と、
底板と、該底板の一方の面側に立ち上がる側板と、を有し、前記導光板と前記光源とを少なくとも収容するシャーシと、
前記導光板の端面から前記側板側に向かって突出しており、その頂角が前記側板と対向するように前記導光板の厚み方向に沿って延びる三角柱状をなす位置決め凸部であって、平面視において、前記頂角が９０°とされるとともに、２つの立ち上がり角がそれぞれ４５°とされている位置決め凸部と、
前記側板の前記位置決め凸部と対向する部位に設けられ、該位置決め凸部と嵌合可能とされるとともに、該位置決め凸部と嵌合されることで前記シャーシ内において前記導光板を位置決めする位置決め凹部と、
を備える照明装置。
【請求項２】
前記位置決め凸部の平面視において、前記２つの立ち上がり角を結ぶ線分の長さが５ｍｍから３０ｍｍの範囲内とされている、請求項１に記載の照明装置。
【請求項３】
前記導光板の前記入光面の両側で対辺を構成する両側面の各々に前記位置決め凸部が設けられている、請求項１又は請求項２に記載の照明装置。
【請求項４】
前記両側面に配された前記位置決め凸部の各々が、同じ大きさとされるとともに、前記導光板を挟んで対称となる位置に設けられている、請求項３に記載の照明装置。
【請求項５】
前記位置決め凸部は、前記導光板における前記入光面とは反対側の側面側よりも前記入光面側に設けられている、請求項１から請求項４のいずれか１項に記載の照明装置。
【請求項６】
前記導光板の一方の側面において前記位置決め凸部が複数設けられている、請求項１から請求項５のいずれか１項に記載の照明装置。
【請求項７】
複数の前記位置決め凸部が連続して連なるように設けられている、請求項６に記載の照明装置。
【請求項８】
前記導光板の一方の板面上に配された光学部材をさらに備え、
前記光学部材の端縁に前記位置決め凸部と重畳する重畳部位が設けられ、
平面視において、前記重畳部位は前記位置決め凸部と同形状とされている、請求項１から請求項７のいずれか１項に記載の照明装置。
【請求項９】
請求項１から請求項８のいずれか１項に記載の照明装置からの光を利用して表示を行う表示パネルを備えることを特徴とする表示装置。
【請求項１０】
前記表示パネルが液晶を用いた液晶パネルであることを特徴とする請求項９に記載の表示装置。
【請求項１１】
請求項９又は請求項１０に記載の表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
近年、テレビ受信装置をはじめとする画像表示装置の表示素子は、従来のブラウン管から液晶パネルやプラズマディスプレイパネルなどの薄型表示素子を適用した薄型表示装置に移行しつつあり、画像表示装置の薄型化を可能としている。液晶表示装置は、これに用いる液晶パネルが自発光しないため、別途に照明装置としてバックライト装置を必要としている。このようなバックライト装置の一例として、シャーシに収容された導光板の側面に入光面が設けられ、導光板の側面側に当該側面と対向するようにＬＥＤ等の光源が配されたエッジライト型のバックライト装置が知られている。
【０００３】
エッジライト型のバックライト装置では、導光板の光源と対向しない側の側面にシャーシと対向するような凸部（以下、位置決め凸部と称する）が設けられ、シャーシにおける当該凸部と対向する部位に当該位置決め凸部と嵌合可能な凹部（以下、位置決め凹部と称する）が設けられ、両者が嵌合された状態で導光板がシャーシ内に収容された構成が知られている。このように、導光板の位置決め凸部とシャーシの位置決め凹部が嵌合されることで、シャーシ内において、導光板がその板面方向に位置決めされるため、振動等によって導光板ががたつくことを防止することができる。このように導光板が位置決めされる構成を有するバックライトユニットを備える液晶表示装置が、例えば特許文献１に開示されている。
【先行技術文献】
【特許文献】
【０００４】
【特許文献１】特開２００１−２１８８４号公報
【発明の概要】
【発明が解決しようとする課題】
【０００５】
ここで、導光板に位置決め凸部が設けられた構成では、液晶表示装置として使用されるのに際してシャーシが縦に載置される場合に、導光板の重みがシャーシの切り欠きに対して加わり、その反作用で位置決め位置決め凸部に対して導光板の重みによる負荷がかかるものとなる。上記した特許文献１のバックライトユニットでは、導光板の位置決め凸部が平面視において矩形状とされており、シャーシの凹部が当該凸部の側端に沿った形状とされている。しかしながら、このような構成では、シャーシが縦に載置される場合に、位置決め凸部と位置決め凹部との当接部位が平面に視て水平方向に沿ったものとなる。このような状態では、導光板の重みによって位置決め凸部に加わる負荷は、導光板に及ぶ重力の方向に沿ったものとなるから、導光板の重みが直接位置決め凸部に加わることとなる。その結果、位置決め凸部に過度なせん断応力が加わることとなって位置決め凸部の強度が低下し、位置決め凸部がせん断破壊される虞がある。
【０００６】
また、特許文献１のバックライトユニットのように、導光板の位置決め凸部が平面視において矩形状とされていると、導光板内から凸部に対して光源側から斜めに入光した光が位置決め凸部と導光板との間の境界部において反射され、当該凸部から導光板の外部に漏れ、表示パネル側へ向かうことがある。その結果、表示パネルの表示面においてスジ状の輝度ムラが生じることがある。
【０００７】
本明細書で開示される技術は、上記の課題に鑑みて創作されたものである。本明細書では、導光板の位置決め凸部の強度を維持しながら、位置決め凸部から光が漏れることを防止することができる照明装置を提供することを目的とする。
【課題を解決するための手段】
【０００８】
本明細書で開示される技術は、少なくとも一つの端面に入光面が設けられた導光板と、前記導光板の前記入光面と対向して配された光源と、底板と、該底板の一方の面側に立ち上がる側板と、を有し、前記導光板と前記光源とを少なくとも収容するシャーシと、前記導光板の端面から前記側板側に向かって突出しており、その頂角が前記側板と対向するように前記導光板の厚み方向に沿って延びる三角柱状をなす位置決め凸部であって、平面視において、前記頂角が９０°とされるとともに、２つの立ち上がり角がそれぞれ４５°とされている位置決め凸部と、前記側板の前記位置決め凸部と対向する部位に設けられ、該位置決め凸部と嵌合可能とされるとともに、該位置決め凸部と嵌合されることで前記シャーシ内において前記導光板を位置決めする位置決め凹部と、を備える照明装置に関する。
【０００９】
上記のような照明装置によれば、導光板が収容されたシャーシが縦に載置される際に、位置決め凸部が正面から視て三角形となることから、当該位置決め凸部と位置決め凹部との当接部位が正面から視て斜めを向いた形となり、これにより、導光板の位置決め凸部に対して斜め方向の荷重が加わることとなる。このため、導光板の位置決め凸部に縦方向の荷重が加わる場合と比べて位置決め凸部に加わる荷重が小さく、位置決め凸部の強度が維持されるので、導光板の重みによって位置決め凸部がせん断破壊されることを防止することができる。また、三角柱状をなす位置決め凸部が上記のような角度で形成されていることから、導光板内の光が位置決め凸部に入光した場合に、その光が位置決め凸部の頂角を構成する二つの端面でそれぞれ反射され、再び導光板内へと戻ることとなるので、位置決め凸部からの光漏れが防止される。以上のように上記の照明装置によれば、導光板の位置決め凸部の強度を維持しながら、位置決め凸部から光が漏れることを防止することができる。
【００１０】
前記位置決め凸部の平面視において、前記２つの立ち上がり角を結ぶ線分の長さが５ｍｍから３０ｍｍの範囲内とされていてもよい。
この構成によれば、位置決め凸部の強度が維持されるための具体的な構成を提供することができる。
【００１１】
前記導光板の前記入光面の両側で対辺を構成する両側面の各々に前記位置決め凸部が設けられていてもよい。
この構成によると、シャーシが縦に載置される際に位置決め凸部に加わる導光板の重みが両側面側にそれぞれ分散されることとなるので、位置決め凸部の強度を一層維持することができる。
【００１２】
前記両側面に配された前記位置決め凸部の各々が、同じ大きさとされるとともに、前記導光板を挟んで対称となる位置に設けられていてもよい。
この構成によると、シャーシが縦に載置される際に両側面側に分散されて位置決め凸部に加わる荷重を均等にすることができるので、導光板の重みがいずれか一方の位置決め凸部に過度に加わることを防止することができ、位置決め凸部がせん断破壊されることを一層防止することができる。
【００１３】
前記位置決め凸部は、前記導光板における前記入光面とは反対側の側面側よりも前記入光面側に設けられていてもよい。
導光板では光源から近い側が熱膨張による影響が大きいものとされる。光源近傍において導光板が熱膨張すると、光源と導光板との距離が変化し、良好な光学設計を維持することが困難となる。上記の構成によると、光源に近い側に設けられた位置決め凸部によって光源と導光板との間の距離が規制されるので、導光板の熱膨張によって光源と導光板との距離が変化することを抑制することができ、良好な光学設計を維持することができる。
【００１４】
前記導光板の一方の側面において前記位置決め凸部が複数設けられていてもよい。
この構成によると、位置決め凸部が複数設けられることにより、シャーシが縦に載置される際に、位置決め凸部に加わる荷重がより分散されることとなるので、位置決め凸部がせん断破壊されることを一層防止することができる。
【００１５】
複数の前記位置決め凸部が連続して連なるように設けられていてもよい。
この構成によると、複数の位置決め凸部を連続して設けることで、導光板の位置決め部位における強度を高めることができる。
【００１６】
前記導光板の一方の板面上に配された光学部材をさらに備え、前記光学部材の端縁に前記位置決め凸部と重畳する重畳部位が設けられ、平面視において、前記重畳部位は前記位置決め凸部と同形状とされていてもよい。
この構成によると、光学部材についても、シャーシに設けられた位置決め凹部によって位置決めできるとともに、保持することができる。
【００１７】
本明細書で開示される技術は、上記の照明装置からの光を利用して表示を行う表示パネルと、を備える表示装置として表現することもできる。また、当該表示パネルを、液晶を用いた液晶パネルとする表示装置も、新規で有用である。また、上記の表示装置を備えるテレビ受信装置も、新規で有用である。
【発明の効果】
【００１８】
本明細書で開示される技術によれば、導光板の位置決め凸部の強度を維持しながら、位置決め凸部から光が漏れることを防止することが可能な照明装置を提供することができる。
【図面の簡単な説明】
【００１９】
【図１】実施形態１に係るテレビ受信装置ＴＶの分解斜視図
【図２】液晶表示装置１０の分解斜視図
【図３】液晶表示装置１０の短辺方向に沿った断面構成を示す断面図
【図４】バックライト装置２４の平面図
【図５】位置決め凸部近傍の平面図
【図６】位置決め凸部近傍での光の進路を示す平面図
【図７】実施形態２に係るバックライト装置１２４の平面図
【図８】実施形態３に係るバックライト装置２２４の平面図
【発明を実施するための形態】
【００２０】
＜実施形態１＞
図面を参照して実施形態１を説明する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。また、特に断りがない限りは、上下の記載については鉛直方向を基準とする。
【００２１】
図１は、実施形態１に係るテレビ受信装置ＴＶの分解斜視図を示している。テレビ受信装置ＴＶは、液晶表示装置（表示装置の一例）１０と、当該表示装置Ｄを挟むようにして収容する表裏両キャビネットＣａ、Ｃｂと、電源Ｐと、チューナーＴと、スタンドＳと、を備えている。
【００２２】
図２は、液晶表示装置１０の分解斜視図を示している。ここで、図２に示す上側を表側とし、同図下側を裏側とする。図２に示すように、液晶表示装置１０は、全体として横長の方形を成し、表示パネルである液晶パネル１６と、外部光源であるバックライト装置（照明装置の一例）２４とを備え、これらが枠状を成すベゼル１２などにより一体的に保持されるようになっている。
【００２３】
続いて、液晶パネル１６について説明する。液晶パネル１６は、透明な（高い透光性を有する）一対のガラス基板が所定のギャップを隔てた状態で貼り合わせられるとともに、両ガラス基板間に液晶層（図示しない）が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。このうち、ソース配線、ゲート配線および対向電極などには、図示しない駆動回路基板から画像を表示するのに必要な画像データや各種制御信号が供給されるようになっている。なお、両ガラス基板の外側には偏光板（図示しない）が配されている。
【００２４】
続いて、バックライト装置２４について説明する。図３は、液晶表示装置１０を鉛直方向（Ｙ軸方向）に沿って切断した断面の断面図を示している。図２及び図３に示すように、バックライト装置２４は、フレーム１４と、光学部材１８と、シャーシ２２とを備えている。フレーム１４は、枠状を成しており、導光板２０の表面（出光面２０ｂ）の端縁側に沿って配され、内縁に沿って液晶パネル１６を支持している。光学部材１８は、導光板２０の表側（出光面２０ｂ側）に載置されている。シャーシ２２は、表側（光出射側、液晶パネル１６側）に開口した略箱型を成している。
【００２５】
シャーシ２２内には、ＬＥＤ（Light Emitting Diode）ユニット３２と、反射シート２６と、導光板２０とが収容されている。ＬＥＤユニット３２は、シャーシ２２の一方の長辺側外縁（側板）２２ｂに配されており、光を出射する。導光板２０の一方の長手方向側面（入光面）２０ａはＬＥＤユニット３２と対向する位置に配されており、当該ＬＥＤユニット３２から出射される光を液晶パネル１６側へ導く。そして、この導光板２０の表側に光学部材１８が載置されている。本実施形態に係るバックライト装置２４では、導光板２０および光学部材１８が液晶パネル１６の直下に配されていると共に光源であるＬＥＤユニット３２が導光板２０の側端部に配されてなる、いわゆるエッジライト方式（サイドライト方式）を採用している。なお、上述したように、バックライト装置２４では、ＬＥＤユニット３２が導光板２０の側面周りの一方向のみ配された構成が実現されている。
【００２６】
シャーシ２２は、例えばアルミ系材料などの金属製とされ、平面視矩形状を成す底板２２ａと、底板２２ａの両長辺の各外縁から立ち上がる側板２２ｂ、２２ｃと、底板２２ａの両短辺の各外縁から立ち上がる側板２２ｄ、２２ｄとから構成されている。シャーシ２２の両短辺側の両側板２２ｄ、２２ｄであって短辺方向の中央近傍には、導光板２０と対向する側（シャーシ２２の内側）に開口する位置決め凹部２２ｔがそれぞれ設けられている。この位置決め凹部２２ｔについては、後で詳しく説明する。シャーシ２２内においてＬＥＤユニット３２及び一方の側板２２ｃと対向する空間が、導光板２０用の収容空間となっている。なお、底板２２ａの裏側には、ＬＥＤユニット３２に電力を供給する電源回路基板（図示しない）等が取り付けられている。
【００２７】
光学部材１８は、導光板２０側から順に、拡散シート１８ａ、レンズシート１８ｂ、反射型偏光板１８ｃが積層されたものである。拡散シート１８ａ、レンズシート１８ｂ、反射型偏光板１８ｃは、ＬＥＤユニット３２から出射され、導光板２０を通過した光を面状の光とする機能を有している。反射型偏光板１８ｄの上面側には液晶パネル１６が設置されており、光学部材１８は導光板２０と液晶パネル１６との間に配されている。なお、光学部材１８を構成する各部材の端縁には、後述する導光板２０に設けられた位置決め凸部２０ｓと重畳する重畳部位１８ｓが設けられている（図２参照）。重畳部位１８ｓは、平面視における位置決め凸部２０ｓの形状と同形状、即ち三角形状とされている。
【００２８】
ＬＥＤユニット３２は、樹脂製の矩形状を成すＬＥＤ基板３０に、白色発光するＬＥＤ２８が一列に並んだ構成となっている。ＬＥＤ基板３０は、シャーシ２２の一方の側板２２ｂに、ビス留め等により固定されている。なお、ＬＥＤ２８は、青色発光素子に、黄色の領域に発光ピークを持つ蛍光体を塗布することにより白色発光するものとしたものであってもよい。また、青色発光素子に、緑色と赤色の領域にそれぞれ発光ピークを持つ蛍光体を塗布することにより白色発光するものとしたものであってもよい。また、青色発光素子に、緑色の領域に発光ピークを持つ蛍光体を塗布すると共に、赤色発光素子を組み合わせることにより白色発光するものとしたものであってもよい。また、ＬＥＤ２８は、青色発光素子と、緑色発光素子と、赤色発光素子と、を組み合わせることにより白色発光するものとしたものであってもよい。また、紫外光発光素子と、蛍光体と、を組み合わせたものであってもよい。特に、紫外光発光素子に、青色と緑色と赤色にそれぞれ発光ピークを持つ蛍光体を塗布することにより白色発光するものとしたものであってもよい。
【００２９】
導光板２０は、矩形状の板状部材とされ、アクリル等の透光性の大きい（透明度の高い）樹脂により形成されており、反射シート２６と当接していると共に、シャーシ２２によって支持されている。導光板２０は、図２及び図３に示すように、ＬＥＤユニット３２とシャーシ２２の一方の側板２２ｃとの間に、一方の側面（入光面２０ａ）がＬＥＤユニット３２と対向し、かつ、入光面２０ａとは反対側の反対側面２０ｄがシャーシ２２の一方の側板２２ｃと対向するように、主板面である出光面２０ｂを拡散シート１８ａ側に向け、出光面２０ｂとは反対側の板面である反対板面２０ｃを反射シート２６側に向ける形で配されている。また、入光面２０ａは、水平方向（Ｘ軸方向）を長辺方向とし、当該導光板２０の厚み方向（Ｚ軸方向）を短辺方向とする長方形状をなしている（図２参照）。このような導光板２０が配設されることにより、ＬＥＤユニット３２から生じた光は、導光板２０の入光面２０ａから入射して拡散シート１８ａと対向する出光面２０ｂから出射することで、液晶パネル１６をその背面側から照射する。なお、本実施形態に係るバックライト装置２４では、導光板２０および光学部材１８が液晶パネル１６の直下に配されていると共に光源であるＬＥＤユニット３２が導光板２０の側端部に配されてなる、いわゆるエッジライト方式（サイドライト方式）を採用している。
【００３０】
導光板２０の短辺方向の両側面２０ｅ，２０ｅ（図２参照）には、図４に示すように、シャーシ２２の短辺方向の側板２２ｄに設けられた位置決め凹部２２ｔと対応して部分的に突出する位置決め凸部２０ｓがそれぞれ設けられている。位置決め凸部２０ｓは、それぞれ導光板２０の反対側面２０ｄよりも入光面２０ａ側（ＬＥＤ２８側）に設けられており、シャーシ２２の側板２２ｄに設けられた位置決め凹部２２ｔと嵌合可能な大きさで形成されている。これらの位置決め凸部２０ｓと位置決め凹部２２ｔとが嵌合されることにより、導光板２０がシャーシ２２に対して位置決めされる構成となっている。なお、位置決め凸部２０ｓについては、後で詳しく説明する。
【００３１】
反射シート２６は、長手状を成し、合成樹脂製とされると共にその表面が光反射性に優れた白色とされており、シャーシ２２の底板２２ａの表側に載置されている。反射シート２６は、その表側に反射面を有し、この反射面が導光板２０の反対板面２０ｃと当接している。そして、反射シート２６は、ＬＥＤユニット３２又は導光板２０からその反射面側へ漏れた光を反射させることが可能となっている。
【００３２】
続いて本実施形態の要部である、位置決め凸部２０ｓの構成及び位置決め凹部２２ｔの構成について説明する。位置決め凸部２０ｓは、その頂角２０ｔ（図５参照）がシャーシ２２の短辺側の両側板２２ｄ、２２ｄと対向するように導光板２０の厚み方向（Ｚ軸方向）に沿ってそれぞれ延びる三角柱状をなしている（図２参照）。従って、平面視においては、図４に示すように、三角形状をなしている。そして、位置決め凸部２０ｓは、図５に示すように、平面視において、その頂角θ３が９０°とされており、その頂角を挟む２つの立ち上がり角角θ１、θ２がそれぞれ４５°とされた形状、即ち、直角二等辺三角形となっている。また、これらの２つの立ち上がり角θ１、θ２を結ぶ線分の長さ（導光板２０と位置決め凸部２０ｓとの境界部の長さ）Ｗ１は５ｍｍから３０ｍｍの範囲内とされている。なお、導光板２０の短辺方向の両側面２０ｅ，２０ｅにそれぞれ設けられた位置決め凸部２０ｓは、導光板２０の短辺方向（Ｙ軸方向）の両側面２０ｅ，２０ｅにおいて、導光板２０の短辺方向（Ｙ軸方向）における位置が同一となるような位置に設けられており、その大きさも同一とされている。
【００３３】
シャーシ２２の短辺側の両側板２２ｄ、２２ｄに設けられた位置決め凹部２２ｔは、位置決め凸部２０ｓの側面２０ｓ１、２０ｓ２（図６参照）に沿って導光板２０の厚み方向（Ｚ軸方向）に延びるように開口した形状とされており、位置決め凸部２０ｓとの間にわずかな隙間ＣＬを設けて当該位置決め凸部２０ｓと嵌合される形状とされている。従って、位置決め凸部２０ｓと位置決め凹部２２ｔとが嵌合された状態では、シャーシ２２内において導光板２０がその板面方向（Ｘ−Ｙ平面方向）に位置決めされた状態とされる（図４参照）。
【００３４】
続いて、図６を参照して、導光板２０内を導光する光が位置決め凸部２０ｓに入光した場合の光の進み方について説明する。図６に示す一点鎖線は、光の進路の一例を示している。導光板２０から位置決め凸部２０ｓ側に向かう光は、導光板２０の長辺方向（Ｘ軸方向）に沿って位置決め凸部２０ｓへと進行する。位置決め凸部２０ｓ内に入光した光は、位置決め凸部２０ｓの一方の側面２０ｓ１に対して４５°の角度をなして到達し、同様に当該一方の側面２０ｓ１に対して４５°の角度をなすように反射されることになる。その結果、反射された光は、導光板２０の短辺方向（Ｙ軸方向）に沿って進行する。こうして反射された光は、位置決め凸部２０ｓ内を当該位置決め凸部２０ｓの他方の側面２０ｓ２側に向かって進行し、位置決め凸部２０ｓの他方の側面２０ｓ２に対して４５°の角度をなして到達し、上記と同様に、当該一方の側面２０ｓ１に対して４５°の角度をなすように反射される。その結果、反射された光は、導光板２０の長辺方向（Ｙ軸方向）に沿って進行する。この光は、位置決め凸部２０ｓへと入光した方向とは反対方向、即ち、導光板２０側に向かう方向に進むものとなる。このように、導光板２０内から位置決め凸部２０ｓに入光した光は、上記のような進路で進むこととなるので、位置決め凸部２０ｓから外部へと漏れることなく、再び導光板２０内へと戻されることとなる。このため、位置決め凸部２０ｓから光が漏れることに起因する液晶パネル１６の表示面における輝度ムラが防止される。
【００３５】
ここで、実施形態に係るバックライト装置２４が液晶表示装置１０やテレビ受信装置ＴＶとして用いられる場合、シャーシ２２はＬＥＤユニット３２が収容された側の側壁２２ｂを下側として縦に載置されることとなる。この状態では、導光板２０がシャーシ２２の切り欠き２２ｔによって支持された状態とされる。具体的には、導光板２０の短辺側の両側面２０ｅに設けられた各位置決め凸部２０ｓにおいて、その一方（下方、図５及び図６における下側）の側面２０ｓ１がシャーシ２２の切り欠き２２ｔの側面と当接する。これにより、導光板２０の重みがシャーシ２２の切り欠き２２ｔに対して加わり、その反作用で位置決め凸部２０ｓに対して導光板２０の重みによる負荷がかかった状態で導光板２０が支持される。このとき、導光板２０に及ぶ重力は、正面に視て（図４における紙面手前側から視て）下側に向かうのに対し、位置決め凸部２０ｓと位置決め凹部２２ｔとの当接部位は、正面に視て斜め方向に沿ったものとされる。これにより、当該当接部位においてシャーシ側から位置決め凸部２０ｓにかかる導光板２０の重みによる負荷は、正面に視て、位置決め凸部２０ｓに対して斜め方向から加わり、上方向と横方向とに分散される。このため、位置決め凸部２０ｓと位置決め凹部２２ｔとの当接部位が、正面に視て水平方向に沿ったものとされている場合（位置決め凸部２０ｓが平面視矩形状の突起状とされ、位置決め凹部２２ｔが平面視矩形状の切り欠きとされている場合）と比べて、導光板２０と位置決め凸部２０ｓとの間の境界に加わるせん断応力が減少する。その結果、シャーシ２２が縦に載置される際に、位置決め凸部２０ｓがせん断破壊されることを防止ないし抑制することができる。
【００３６】
以上のように本実施形態に係るバックライト装置２４では、導光板２０が収容されたシャーシ２２が縦に載置される際に、位置決め凸部２０ｓが正面から視て三角形となることから、当該位置決め凸部２０ｓと位置決め凹部２２ｔとの当接部位が正面から視て斜めを向いた形となり、これにより、導光板２０の位置決め凸部２０ｓに対して斜め方向の荷重が加わることとなる。このため、導光板２０の位置決め凸部２０ｓに縦方向の荷重が加わる場合と比べて位置決め凸部２０ｓに加わる荷重が小さく、位置決め凸部２０ｓの強度が維持されるので、導光板２０の重みによって位置決め凸部２０ｓがせん断破壊されることを防止することができる。また、三角柱状をなす位置決め凸部２０ｓが上記のような角度で形成されていることから、導光板２０内の光が位置決め凸部２０ｓに入光した場合に、その光が位置決め凸部２０ｓの頂角２０ｔを構成する二つの端面２０ｓ１、２０ｓ２でそれぞれ反射され、再び導光板２０内へと戻ることとなるので、位置決め凸部２０ｓからの光漏れが防止される。以上のように上記のバックライト装置２４によれば、導光板２０の位置決め凸部２０ｓの強度を維持しながら、位置決め凸部２０ｓから光が漏れることを防止することができる。
【００３７】
また、本実施形態に係るバックライト装置２４によれば、位置決め凸部２０ｓの平面視において、２つの立ち上がり角θ１、θ２を結ぶ線分の長さＷ１が５ｍｍから３０ｍｍの範囲内とされている。このような長さとされていることで、バックライト装置２４において位置決め凸部２０ｓの強度を維持することができる。
【００３８】
また、本実施形態に係るバックライト装置２４では、導光板２０の入光面２０ａの両側で対辺を構成する両側面の各々に位置決め凸部２０ｓが設けられ、位置決め凸部２０ｓの各々が、同じ大きさとされるとともに、導光板２０を挟んで対称となる位置に設けられている。これにより、シャーシ２２が縦に載置される際に位置決め凸部２０ｓに加わる導光板２０の重みが両側面側にそれぞれ分散されるとともに、各位置決め凸部２０ｓに加わる荷重を均等にすることができるので、導光板２０の重みがいずれか一方の位置決め凸部２０ｓに過度に加わることを防止することができ、位置決め凸部２０ｓがせん断破壊されることを一層防止することができる。
【００３９】
また、本実施形態に係るバックライト装置２４は、導光板の出光面２０ｂ上に配された光学部材１８をさらに備えている。そして、光学部材１８の端縁に位置決め凸部２０ｓと重畳する重畳部位１８ｓが設けられており、平面視において、重畳部位１８ｓが位置決め凸部２０ｓと同形状とされている。これにより、重畳部位１８ｓはシャーシ２２に設けられた位置決め凹部２２ｔと嵌合されることとなるので、光学部材１８についても、位置決め凹部２２ｔによって位置決めできるとともに、保持することができる。
【００４０】
＜実施形態２＞
図面を参照して実施形態２を説明する。実施形態２は、導光板１２０に設けられた位置決め凸部１２０ｓ及びシャーシ１２２に設けられた位置決め凹部１２２ｔの数が実施形態１のものと異なっている。その他の構成については実施形態１のものと同様であるため、構造、作用、及び効果の説明は省略する。なお、図７において、図４の参照符号に数字１００を加えた部位は、実施形態１で説明した部位と同一である。
【００４１】
実施形態２に係るバックライト装置１２４では、図７に示すように、導光板１２０の短辺側の両側面１２０ｅ，１２０ｅにおいて片側３つずつとなるように複数の位置決め凸部１２０ｓが設けられている。そして、短辺側の一方の側面１２０ｅに設けられた３つの位置決め凸部１２０ｓは連続して連なるように配置されている。なお、各位置決め凸部１２０ｓの形状については実施形態１と同様である。このような構成とされていることで、シャーシ１２２が縦に載置される際に、各位置決め凸部１２０ｓに加わる荷重がより分散されることとなり、位置決め凸部１２０ｓがせん断破壊されることを一層防止することができる。さらに、複数の位置決め凸部１２０ｓを連続して設けることで、導光板１２０の位置決め部位における強度を高めることができる。
【００４２】
＜実施形態３＞
図面を参照して実施形態３を説明する。実施形態３は、一方の側面に設けられた３つの位置決め凸部２２０ｓの配置が実施形態２のものと異なっている。その他の構成については実施形態２のものと同様であるため、構造、作用、及び効果の説明は省略する。なお、図８において、図４の参照符号に数字２００を加えた部位は、実施形態１で説明した部位と同一である。
【００４３】
実施形態３に係るバックライト装置２２４では、図８に示すように、実施形態２と同様、導光板１２０の短辺側の両側面２２０ｅ，２２０ｅにおいて片側３つずつとなるように複数の位置決め凸部２２０ｓが設けられている。そして、短辺側の一方の側面２２０ｅに設けられた３つの位置決め凸部２２０ｓはそれぞれ離間して配置されている。具体的には、短辺側の一方の側面２２０ｅにおいて、３つの位置決め凸部２２０ｓが等間隔に分散して配置されるように、当該側面２２０ｅの両端近傍、及び中央近傍にそれぞれ設けられている。このような構成とされている場合であっても、シャーシ２２２が縦に載置される際に、各位置決め凸部２２０ｓに加わる荷重がより分散されることとなるので、位置決め凸部２２０ｓがせん断破壊されることを一層防止することができる。
【００４４】
上記の各実施形態の変形例を以下に列挙する。
（１）上記の各実施形態では、導光板の短辺側の両側面に設けられた各位置決め凸部の大きさが同一とされた構成を例示したが、大きさが異なる構成であってもよい。
【００４５】
（２）上記の実施形態２及び３では、導光板における短辺側の一方の側面に３つの位置決め凸部が設けられた構成を例示したが、位置決め当該一方の側面において位置決め凸部が設けられる数は限定されない。
【００４６】
（３）上記の実施形態以外にも、位置決め凸部の数、大きさ、配置等については、適宜に変更可能である。
【００４７】
（４）上記の各実施形態では、表示パネルとして液晶パネルを用いた液晶表示装置を例示したが、他の種類の表示パネルを用いた表示装置にも本発明は適用可能である。
【００４８】
（５）上記の各実施形態では、チューナーを備えたテレビ受信装置を例示したが、チューナーを備えない表示装置にも本発明は適用可能である。
【００４９】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【００５０】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００５１】
ＴＶ…テレビ受信装置、Ｃａ、Ｃｂ…キャビネット、Ｔ…チューナー、Ｓ…スタンド、１０、１１０、２１０…液晶表示装置、１２、１１２、２１２…ベゼル、１４、１１４、２１４…フレーム、１６、１１６、２１６…液晶パネル、１８、１１８、２１８…光学部材、１８ｓ…重畳部位、２０、１２０、２２０…導光板、２０ａ、１２０ａ、２２０ａ…入光面、２０ｄ、１２０ｄ、２２０ｄ…反対側面、２０ｓ、１２０ｓ、２２０ｓ…位置決め凸部、２２、１２２、２２２…シャーシ、２２ｔ、１２２ｔ、２２２ｔ…位置決め凹部、２４、１２４、２２４…バックライト装置、２６、１２６、２２６…反射シート、２８、１２８、２２８…ＬＥＤ光源、３０、１３０、２３０…ＬＥＤ基板、３２、１３２、２３２…ＬＥＤユニット
【図１】
2013178907.tif 000003
【図２】
2013178907.tif 000004
【図３】
2013178907.tif 000005
【図４】
2013178907.tif 000006
【図５】
2013178907.tif 000007
【図６】
2013178907.tif 000008
【図７】
2013178907.tif 000009
【図８】
2013178907.tif 000010